(57)【要約】【課題】ボディ内部にマイク、スピーカ等の部品を配置して、ボディに設けた孔から音声を集音したり、拡散するように構成すると共に、マイク等の前面に防水膜を配置した防水型電子機器において、防水膜に水が浸入したり、ゴミが入り込むことを防止できる防水型電子機器を提供する。【解決手段】マイクを内蔵したボディと、該マイク前方に配置された通気性を有する一方で通水性を有しない防水膜５３と、該防水膜前方のボディ部分に設けた音収集用の穴５５と、該穴を開閉する開閉部材５７と、を有する。【選択図】    図３
2006186422.tif 000002
【特許請求の範囲】
【請求項１】
マイクを内蔵したボディと、該マイク前方に配置された通気性を有する一方で通水性を有しない防水膜と、該防水膜前方のボディ部分に設けた音収集用の穴と、該穴を開閉する開閉部材と、を有することを特徴とする防水型電子機器。
【請求項２】
スピーカを内蔵したボディと、該スピーカ前方に配置された通気性を有する一方で通水性を有しない防水膜と、該防水膜前方のボディ部分に設けた音を外部に拡散する穴と、該穴を開閉する開閉部材と、を有することを特徴とする防水型電子機器。
【請求項３】
請求項１又は２に記載の防水型電子機器において、
前記開閉部材を、前記ボディの内側に備えたことを特徴とする防水型電子機器。
【請求項４】
請求項１及び２の防水型電子機器において、
前記開閉部材は、前記ボディの外側に回転移動自在に配置されていることを特徴とする防水型電子機器。
【発明の詳細な説明】
【技術分野】
【０００１】
本発明は、録音機能と音再生機能を有する防水型電子機器に関し、ボディ内に配置されたマイクやスピーカを常時においては正常使用可能な状態にする一方で、雨水やゴミの浸入を避けたい場合には蓋によってマイクやスピーカ前面を閉止して防水、防塵できるようにした防水型電子機器に関する。
【背景技術】
【０００２】
録音機能や音再生機能を有する電子機器は、ボディに設けた穴の内部にマイクやスピーカを配置している。これらの音収集用の穴や音拡散用の穴から雨水が浸入すると、これらの部品が故障する原因となるため、防水のための構造が種々提案されている。
例えば、特開２００２−１６３７４公報『電子機器の防水構造』には、防水膜に対する保護機能を高めるための構造として、ケースに形成された孔部を閉じる防水膜を備える電子機器であって、孔部を覆って外側へ膨らんだ曲面形状のカバー部材をケースに取り付け、このカバー部材の外側に膨らんだ曲面形状部に、防水膜の表面に対する垂線と交差方向に向いていて、表裏方向に貫通する小孔を形成した電子機器が開示されている。
また、特開２００１−７５６０公報『防水型電子機器』には、耐水性と通気性を併せ持つフィルタが外部からの接触により容易に破壊されることがなく、フィルタを含んで形成される密閉容器自体の防水性能が損なわれることの無い防水型電子機器として、密閉容器の内部と外部とを連結すると共にその内部側端部に耐水性と通気性を併せ持つフィルタが固着された通気孔を備え、かつこの通気孔を上記フィルタが外部から視認できない構造とした構成が開示されている。
【特許文献１】特開２００２−１６３７４公報
【特許文献２】特開２００１−７５６０公報
【発明の開示】
【発明が解決しようとする課題】
【０００３】
しかしながら、特開２００２−１６３７４と特開２００１−７５６０に記載された発明の場合には、防水膜が外部から直接見えないようにして、外部から細い部材が差し込まれて防水膜が破壊されることを防止しているが、ゴミが侵入することは防止できない。
また、水が防水膜まで浸入してしまうと、それが乾燥するまで音の通過特性が悪くなってしまうが、防水膜まで水が浸入するのを防ぐことはできない。
【課題を解決するための手段】
【０００４】
本発明は上記に鑑みてなされたものであり、ボディ内部にマイク、スピーカ等の部品を配置して、ボディに設けた孔から音声を集音したり、拡散するように構成すると共に、マイク等の前面に防水膜を配置した防水型電子機器において、防水膜に水が浸入したり、ゴミが入り込むことを防止できる防水型電子機器を提供することを目的としている。
【発明の効果】
【０００５】
請求項１では、録音機能を作動させる必要がない場合に、ゴミや水が入りやすい使用条件で、防水膜と音収集孔の間にゴミが入ってしまうことを防止でき、また、同じく音収集孔を塞いだ状態にしておけば水が入ることを防止でき、録音したい時に水が乾燥するまで待つ必要が無く、すぐに良好な音を録音することができる。
請求項２では、スピーカで音を再生する必要がない場合に、ゴミや水が入りやすい条件で防水膜と音拡散孔の間にゴミが入ってしまうことを防止でき、また、同じく音拡散孔を塞いだ状態にしておけば水が入ることを防止でき、音を再生したい時には水が乾燥するまで待つ必要が無く、すぐに良好な音を再生することができるようにすることができる。
請求項３では、音収集用の孔と音拡散用の孔を塞ぐ部材による外観への影響が少なく、デザインの自由度が上がり、見映えが良い電子機器を提供することができる。
請求項４では、簡単な構成で確実に操作しやすい構造にして、製作しやすく、同様の効果を実現することができる。
【発明を実施するための最良の形態】
【０００６】
以下、本発明を図面に示した実施の形態により詳細に説明する。
図１は本発明の実施の形態に係る防水型電子機器の一例としての防水型デジタルカメラの前方斜視図、図２は同じく後方斜視図である。
デジタルカメラ本体１は、そのボディの正面左側に弾性部材で作られた右手グリップ部２を備え、右手グリップ部２の後方にはメモリーカード（図示せず）と電池（図示せず）を装着可能なカードスロット部（図示せず）と、電池室（図示せず）を被う電池蓋３が設けられている。
ボディの前面には撮影レンズ４、鏡胴が取り付けられていて、その上方にはユーザが撮影範囲等を目視で確認するための光学ファインダ５、低照度での撮影等の場合に補助光を発するためのストロボ６が設けられている。
カメラ本体１の上面には、カメラの各種モードを選択する回転型モードダイヤル７と、その中央にはカメラの電源をＯＮ／ＯＦＦする電源スイッチ８が設けられ、更にシャッタボタン９、外部ストロボを取り付けるアクセサリーシュー１０が設けられている。また、本体１の正面から見て右側に弾性部材で作られた左手グリップ部１４があり、左手グリップ部１４の後方には外部出力端子（図示せず）を被う端子蓋１５が設けられ、本体１の後面には、撮影画像を表示したり、撮影モードを表示したりするＬＣＤモニター２１、また、ファインダ接眼部２２、ファインダＬＥＤ窓２３、ズームボタン２４、複数のモードスイッチ２５が設けられている。
ボディ前面側内部適所には、防水構造を備えたマイクが配置されており、マイクの前方に相当するボディの前カバー３２には集音のための小孔（集音孔）３１が開口形成されており、小孔３１上方に配置されたノブ３３を動かすことにより、後述する開閉部材が作動して小孔３１が貫通した状態と閉じた状態を選択可能となるように構成されている。
同様に、ボディ側面適所には、防水構造を備えたスピーカが配置されており、スピーカの前方に相当するボディの左グリップ部１４には、スピーカからの音を拡散するための小孔（拡散孔）４１が開口形成されていて、小孔４１の上方に設けたノブ４２を動かすことにより、後述する開閉部材が作動して小孔４１が貫通した状態と閉じた状態を選択可能となるように構成されている。
【０００７】
図３は、スピーカ部の断面図であり、スピーカ４０はボディを構成する内カバー５０の内側面に設けた凹み部５１内に取り付けられ、スピーカ４０前方を覆うように配置された内カバー５０部分にはスピーカからの発生音を外部に伝えるための孔５２が多数貫通形成されている。この孔５２を設けた内カバー部分の更に前面には、空気は通すが水を通さない防水膜５３が外周を内カバー５０に接着されて取り付けられ、孔５２を塞いでいる。防水膜５３は、その外周縁を押えリング５４により押えられている。防水膜５３の更に外側に位置する左グリップ部１４には音を外に伝えるための孔５５が多数開けられ、孔５５を形成した左グリップ部１４の内側の空所内には、ノブ部４２を動かすことにより上下に移動する開閉部材５７が配置されている。開閉部材５７には、左グリップ１４に形成した孔５５と連通可能な位置、形状の穴５８が同数開けられ、内部のスピーカ４０から発する音がカメラ外部に発散される。
図４は、同じくスピーカ部の断面であり、ノブ４２を下方向に動かして、開閉部材５７が下方向に移動すると、左グリップ１４に開けられた孔５５と開閉部材５７に開けられた拡散用の孔５８の位置がずれて、孔５５が塞がった状態となる。
上記実施形態に係る防水型電子機器によれば、開閉部材５７を操作することにより、スピーカ４０の前方に配置された防水膜５３を経由してスピーカからの発生音を外部に伝える孔５８が塞がれた状態と解放した状態とを任意に選択可能であるので、音再生の必要が無い時には音を外部に伝えるための孔５８を塞いだ状態にしておけば、防水膜５３の外側空間７２に雨水、ゴミなどが侵入することを防ぐことができる。
また、防水膜５３に水が付着したり、防水膜５３とその外側の孔５８との間の空間７２に水が浸入して溜まると、その水が抜けて防水膜５３が乾燥するまでは良好な音を収集することができないが、本実施形態では水が浸入する恐れがある時には開閉部材５７を操作して閉止位置に移動することにより、音を外部に伝える孔５８を塞いだ状態にしておけば良く、スピーカ４０により音を再生したい時には音を外部に伝える孔５８が開いた状態にすれば、直ぐに良好な音の再生が可能となる。
図３、図４は、スピーカ部について示したが、マイク部を開閉する場合にも同様の構成にすることができる。つまり、図３、図４に示したスピーカ４０をマイクと置換すればよい。
この実施形態に係る防水型電子機器は、マイクの前方に配置された防水膜５３の更に前方に設けた音収集用の孔が、塞がれた状態と解放した状態を選択可能であるので、音声録音の必要が無い時には、音収集用の孔を塞いだ状態にしておけば、防水膜の外側空間７２にゴミなどが侵入することを防ぐことができる。
また、防水膜に水が付着したり、防水膜５３とその外側の集音孔の間の空間７２に水が浸入して溜まってしまったりしてしまうと、その水が抜けて防水膜が乾燥するまでは良好な音を収集することができないが、水が浸入する恐れがある時には、音収集用の孔を塞いだ状態にしておけば良く、マイクにより音を収集したい時には音収集用の孔が開いた状態にすれば、良好な音の収集が直ぐに可能となる。
なお、上記実施形態では、拡散用の孔、及び音収集用の孔と、これらの孔を塞ぐ開閉部材５７が、外観を形成するカバー１４の内側にあるので、外観への影響が少なく、デザインの自由度が上がり、見映えを良い電子機器を提供することが可能となる。
【０００８】
次に、図５は、本発明の他の実施形態例の断面図である。
この例では、マイク６０がボディを構成する内カバー６１の内側面に設けた取り付け部材６２に固定されて取り付けられており、マイク６０の前方の内カバー６１部分には音を外に伝えるための孔６４が開けられている。孔６４の前方には、空気を通すが水を通さない防水膜６５が張設された状態で孔６４を塞ぐと共に、その外周６６を内カバー６１に接着されて取り付けられている。更にその外側に位置する前外カバー６７には音を外に伝えるための孔６８が複数貫通形成され、孔６８の更に外側には前外カバー６７に設けた支持部（嵌合溝、嵌合突起）６７ａによって被嵌合突起、又は嵌合溝６９ａを回転可能に支持された蓋６９が配置される。蓋６９には前外カバー６７に開けられた孔６８と連通可能な形状、位置関係を有した穴７０が形成され、孔６８と穴７０が連通した状態では、周囲の音がカメラ内部のマイク６０により集音される。
次に、図６は上記マイク部の断面図であり、蓋６９が回転されて、前外カバー６７に開けられた孔６８と蓋６９に開けられた孔７０の位置がずれることにより、孔６８が塞がった防水状態となる。
なお、図５、図６は、マイク部について回転可能な蓋を取り付けた例を示したが、スピーカ部も同様の構成にすることができる。即ち、図５、図６のマイク部をスピーカ部に置き換えればよい。
これらの実施形態では、音収集用の穴６８、又は音を外部に拡散する孔を塞いだ状態と開放した状態を選択する開閉部材６９は外観を形成するカバー６７の外側に位置して回転動作する構成としているので、構造が簡単で、作動が確実であり、また円形、その他の把持しやすい形状の蓋を手で回す構成であるので操作がしやすい電子機器を提供することが可能となる。
【図面の簡単な説明】
【０００９】
【図１】本発明の実施の形態に係る防水型電子機器の一例としての防水型デジタルカメラの前方斜視図。
【図２】図１の防水型デジタルカメラの後方斜視図。
【図３】スピーカ部の断面図。
【図４】スピーカ部の断面図。
【図５】本発明の他の実施形態例の断面図。
【図６】図５の動作説明図。
【符号の説明】
【００１０】
１  デジタルカメラ本体、２  右手グリップ部、３  蓋、４  撮影レンズ、５  光学ファインダ、６  ストロボ、７  回転型モードダイヤル、８  電源スイッチ、９  シャッタボタン、１０  アクセサリーシュー、１４  左手グリップ部、１５  端子蓋、２１  ＬＣＤモニター、２２  ファインダ接眼部、２３  ファインダＬＥＤ窓、２４  ズームボタン、２５  モードスイッチ、３１  小孔（集音孔）、３２  前カバー、３３  ノブ、４１  小孔（拡散孔）、４２  ノブ、５０  内カバー、５１  凹み部、５２  孔、５３  防水膜、５５  孔、５７  開閉部材、５８  穴、６０  マイク、６１  内カバー部分、６２  取り付け部材、６４  孔、６６  外周、６７  前外カバー、６８  孔、６９  蓋、７０  穴
【図１】
2006186422.tif 000003
【図２】
2006186422.tif 000004
【図３】
2006186422.tif 000005
【図４】
2006186422.tif 000006
【図５】
2006186422.tif 000007
【図６】
2006186422.tif 000008